(57)【要約】【課題】熱膨張による破損を防ぐとともに、容易に設置できるルーバーフェンスを提供する。【解決手段】ルーバーフェンス１０は、長さ方向に沿って第一溝１６ａが形成された第一縦枠１６と、長さ方向に沿って第二溝１８ａが形成された第二縦枠１６と、羽板、横板、羽板および横板の両端面に設けられた第一端体および第二端体を備える第一パネル体と、羽板３０、羽板３０の両端面に設けられた第三端体３８および第四端体４０を備える第二パネル体２４とを有する。ルーバーフェンス１０は、第一溝１６ａと隙間を形成しながら、第一端体および第三端体３８が第一溝１６ａに嵌め込まれ、第二溝１８ａと隙間を形成しながら、第二端体および第四端体４０が第二溝１８に嵌め込まれている。【選択図】図３
0003179925.tif 000002
【実用新案登録請求の範囲】
【請求項１】
長さ方向に沿って第一溝が形成された第一縦枠と、
長さ方向に沿って第二溝が形成された第二縦枠と、
羽板、横板、前記羽板および横板の両端面に設けられた第一端体および第二端体を備える第一パネル体と、
羽板、前記羽板の両端面に設けられた第三端体および第四端体を備える第二パネル体と、
を有するルーバーフェンスであって、
前記第一溝と隙間を形成しながら、前記第一端体および前記第三端体が前記第一溝に嵌め込まれ、前記第二溝と隙間を形成しながら、前記第二端体および前記第四端体が前記第二溝に嵌め込まれているルーバーフェンス。
【請求項２】
請求項１において、
前記羽板の長さ方向と垂直の断面形状が台形状であるルーバーフェンス。
【請求項３】
請求項１または２において、
前記第一パネル体が最も下となるように、前記第一溝および前記第二溝に前記第一パネル体と前記第二パネル体が嵌め込まれて、
前記最も下に嵌め込まれた第一パネル体を構成する羽板と横板の最も下が横板であるルーバーフェンス。
【請求項４】
請求項１から３のいずれかにおいて、
前記第一パネル体が最も上となるように、前記第一溝および前記第二溝に前記第一パネル体と前記第二パネル体が嵌め込まれて、
前記最も上に嵌め込まれた第一パネル体を構成する羽板と横板の最も上が横板であるルーバーフェンス。
【考案の詳細な説明】
【技術分野】
【０００１】
本考案は、熱膨張による破損を防ぐとともに、容易に設置できるルーバーフェンスに関するものである。
【背景技術】
【０００２】
庭やウッドデッキ等の外周に設置するフェンスには、支柱と横板とを組み合わせて構成されるものがある。隣り合った支柱間に、傾斜した横板、すなわち羽板を上下方向に一定の間隔を開けて固定するルーバーフェンスがこの一例である。複数の羽板を所定の位置に固定するには、時間や労力を要する。また、支柱間にネジ等を用いて羽板を固定した場合、羽板の熱膨張によって、支柱や羽板に無理な力が加わって、ルーバーフェンスが破損するおそれがある。
【考案の概要】
【考案が解決しようとする課題】
【０００３】
本考案はこのような事情に鑑みてなされたものであり、熱膨張による破損を防ぐとともに、容易に設置できるルーバーフェンスを提供することを目的とする。
【課題を解決するための手段】
【０００４】
本考案のルーバーフェンスは、長さ方向に沿って第一溝が形成された第一縦枠と、長さ方向に沿って第二溝が形成された第二縦枠と、羽板、横板、羽板および横板の両端面に設けられた第一端体および第二端体を備える第一パネル体と、羽板、羽板の両端面に設けられた第三端体および第四端体を備える第二パネル体と、を有するルーバーフェンスであって、第一溝と隙間を形成しながら、第一端体および第三端体が第一溝に嵌め込まれ、第二溝と隙間を形成しながら、第二端体および第四端体が第二溝に嵌め込まれている。
【０００５】
本考案のルーバーフェンスにおいて、羽板の長さ方向と垂直の断面形状が台形状であることが好ましい。また、本考案のルーバーフェンスにおいて、第一パネル体が最も下となるように、第一溝および第二溝に第一パネル体と第二パネル体が嵌め込まれて、最も下に嵌め込まれた第一パネル体を構成する羽板と横板の最も下が横板であってもよい。
【０００６】
また、本考案のルーバーフェンスにおいて、第一パネル体が最も上となるように、第一溝および第二溝に第一パネル体と第二パネル体が嵌め込まれて、最も上に嵌め込まれた第一パネル体を構成する羽板と横板の最も上が横板であってもよい。
【考案の効果】
【０００７】
本考案によれば、熱膨張による破損を防ぐと共に、容易に設置できるルーバーフェンスが得られる。
【図面の簡単な説明】
【０００８】
【図１】本考案の実施形態に係るルーバーフェンスの正面図である。
【図２】図１に示すルーバーフェンスのＡ−Ａ線断面模式図である。
【図３】図１に示すルーバーフェンスのＢ−Ｂ線断面模式図である。
【図４】本考案の実施形態に係るルーバーフェンスの上部第一パネル体を示す図で、（ａ）は正面図、（ｂ）は（ａ）におけるＣ−Ｃ線で切断したときの断面模式図である。
【図５】本考案の実施形態に係るルーバーフェンスの下部第一パネル体を示す図で、（ａ）は正面図、（ｂ）は（ａ）におけるＤ−Ｄ線で切断したときの断面模式図である。
【図６】本考案の実施形態に係るルーバーフェンスの第二パネル体を示す図で、（ａ）は正面図、（ｂ）は（ａ）におけるＥ−Ｅ線で切断したときの断面模式図である。
【考案を実施するための形態】
【０００９】
以下、本考案のルーバーフェンスについて、図面を参照しながら実施形態に基づいて説明する。なお、図面は、ルーバーフェンス、ルーバーフェンスを構成する部材、およびルーバーフェンスの周辺部材を模式的に表したものであり、これらの実物の寸法および寸法比は、図面上の寸法および寸法比と必ずしも一致していない。また、重複説明は適宜省略し、同一部材には同一符号を付与することがある。
【００１０】
図１は、本考案の実施形態に係るルーバーフェンス１０の正面図である。図２は、ルーバーフェンス１０を図１のＡ−Ａ線で切断したときの断面模式図である。図３は、ルーバーフェンス１０を図１のＢ−Ｂ線で切断したときの断面模式図である。ルーバーフェンス１０は、支柱１２，１４と、第一縦枠１６と、第二縦枠１８と、上部第一パネル体２０と、下部第一パネル体２２と、第二パネル体２４と、上枠２６と、下枠２８とを備える。支柱１２，１４、上枠２６、および下枠２８は、底面が正方形である四角柱形状を有し、木または樹脂等からなる。
【００１１】
棒状または板状の部材である第一縦枠１６は、本実施形態では、底面が正方形である四角柱に溝を設けた形状を有し、金属、木、または樹脂等からなる。第一縦枠１６には、長さ方向に沿って第一溝１６ａが形成されている。第一溝１６ａは、第一縦枠１６の下端より数ｃｍほど上方の位置から第一縦枠１６の上端に渡っている。このため、詳細は後述するが、下部第一パネル体２２を第一縦枠１６の上端から嵌め込み下方に移動させると、第一縦枠１６の下端より数ｃｍ上方の位置で停止する。
【００１２】
第二縦枠１８は、第一縦枠１６と同様である。すなわち、棒状または板状の部材である第二縦枠１８は、本実施形態では、底面が正方形である四角柱に溝を設けた形状を有し、金属、木、または樹脂等からなる。第二縦枠１８には、長さ方向に沿って第二溝１８ａが形成されている。第二溝１８ａは、第二縦枠１８の下端より数ｃｍほど上方の位置から第二縦枠１８の上端に渡っている。
【００１３】
このため、下部第一パネル体２２を第二縦枠１８の上端から嵌め込み下方に移動させると、第二縦枠１８の下端より数ｃｍ上方の位置で停止する。第一溝１６ａおよび第二溝１８ａは、第一縦枠１６および第二縦枠１８の下端から上端に渡っていても、すなわち第一溝１６ａおよび第二溝１８ａのそれぞれの両端が開いていてもよい。この場合には、第一縦枠１６と第二縦枠１８の間であって、その両端が第一溝１６ａおよび第二溝１８ａの内部で固定された下枠によって、下部第一パネル体２２が支持される。
【００１４】
図４は、第一パネル体のうち、ルーバーフェンス１０の上部に用いる上部第一パネル体２０を示し、（ａ）は正面図、（ｂ）は（ａ）におけるＣ−Ｃ線で切断したときの、すなわち、羽板３０および横板３２の長さ方向と垂直の断面模式図である。上部第一パネル体２０は、羽板３０と、横板３２と、羽板３０および横板３２の両端面に設けられた第一端体３４および第二端体３６とを備える。
【００１５】
羽板３０は、長さ方向と垂直の断面形状が台形状の板状部材であり、横板３２の下に３枚配置される。また、羽板３０は、第一端体３４および第二端体３６に対して斜めに設置されている。羽板３０の長さ方向と垂直の断面形状が台形状のため、ルーバーフェンス１０の正面方向からの風当たりを緩和できるとともに、ルーバーフェンス１０の正面形状がデザイン的に優れる。なお、羽板３０の形状と数量等は本実施形態に限定されない。
【００１６】
上部第一パネル体２０の横板３２は、長さ方向と垂直の断面形状が長方形の板状部材であり、全ての羽板３０の上に配置される。すなわち、ルーバーフェンス１０は、図１から図３に示すように、上部第一パネル体２０が最も上となるように、第一溝１６および第二溝１８に嵌め込まれて、上部第一パネル体２０の羽板３０と横板３２の最も上が横板３２となるように構成されている。また、横板３２は、第一端体３４および第二端体３６と平行に設置されている。第一端体３４および第二端体３６と平行となるように、この横板３２が全ての羽板３０の上に設置されているため、ルーバーフェンス１０の正面上部方向からの視界を遮ることができる。
【００１７】
図５は、第一パネル体のうち、ルーバーフェンス１０の下部に用いる下部第一パネル体２２を示し、（ａ）は正面図、（ｂ）は（ａ）におけるＤ−Ｄ線で切断したときの、すなわち、羽板３０および横板３２の長さ方向と垂直の断面模式図である。下部第一パネル体２２は、上部第一パネル体２０と同様に、羽板３０と、横板３２と、羽板３０および横板３２の両端面に設けられた第一端体３４および第二端体３６とを備える。
【００１８】
羽板３０は、長さ方向と垂直の断面形状が台形状の板状部材であり、横板３２の上に３枚配置される。また、羽板３０は、第一端体３４および第二端体３６に対して斜めに設置されている。羽板３０の長さ方向と垂直の断面形状が台形状のため、ルーバーフェンス１０の正面方向からの風当たりを緩和できるとともに、ルーバーフェンス１０の正面形状がデザイン的に優れる。なお、羽板３０の形状と数量等は本実施形態に限定されない。
【００１９】
下部第一パネル体２２の横板３２は、長さ方向と垂直の断面形状が長方形の板状部材であり、全ての羽板３０の下に配置される。すなわち、ルーバーフェンス１０は、図１から図３に示すように、下部第一パネル体２２が最も下となるように、第一溝１６および第二溝１８に嵌め込まれて、下部第一パネル体２２の羽板３０と横板３２の最も下が横板３２となるように構成されている。また、横板３２は、第一端体３４および第二端体３６と平行に設置されている。第一端体３４および第二端体３６と平行となるように、この横板３２が全ての羽板３０の下に設置されているため、ルーバーフェンス１０の正面下部方向からの視界を遮ることができる。
【００２０】
図６は、第二パネル体２４を示し、（ａ）は正面図、（ｂ）は（ａ）におけるＥ−Ｅ線で切断したときの、すなわち、羽板３０の長さ方向と垂直の断面模式図である。第二パネル体２４は、４枚の羽板３０と、羽板３０の両端面に設けられた第三端体３８および第四端体４０とを備える。羽板３０は、長さ方向と垂直の断面形状が台形状の板状部材である。また、羽板３０は、第三端体３８および第二端体４０に対して斜めに設置されている。羽板３０の長さ方向と垂直の断面形状が台形状のため、ルーバーフェンス１０の正面方向からの風当たりを緩和できるとともに、ルーバーフェンス１０の正面形状がデザイン的に優れる。なお、羽板３０の形状と数量等は本実施形態に限定されない。
【００２１】
第一溝１６ａは、図３に示すように、その長さ方向に沿って第一突起１６ｂを備える。また、第二溝１８ａも第一溝１６ａと同様に、その長さ方向に沿って第二突起１８ｂを備える。そして、第一端体３４と第三端体３８は、第一突起１６ｂより内側で第一溝１６ａに嵌め込まれており、第二端体３６と第四端体４０は、第二突起１８ｂより内側で第二溝１８ａに嵌め込まれている。このため、上部第一パネル体２０、下部第一パネル体２２、および第二パネル体２４のガタつきを抑えられる。本実施形態では、第一突起１６ｂおよび第二突起１８ｂがそれぞれ２つあるが、突起は１つしかなくても、３つ以上あってもよい。
【００２２】
ルーバーフェンス１０は、図３に示すように、第一溝１６ａと隙間を形成しながら、第一端体３４および第三端体３８が第一溝１６に嵌め込まれ、第二溝１８と隙間を形成しながら、第二端体３６および第四端体４０が第二溝１８に嵌め込まれている。第一溝１６ａおよび第二溝１８ａと隙間を形成しながら、第一端体３４、第二端体３６、第三端体３８、および第四端体４０が嵌め込まれているため、熱膨張によってルーバーフェンス１０を構成する部材が変形してルーバーフェンス１０が破損するのを抑えられる。
【００２３】
つぎに、ルーバーフェンス１０の組立方法について説明する。まず、第一縦枠１６が固定された支柱１２および第二縦枠１８が固定された支柱１４を、第一溝１６ａと第二溝１８ａとが向き合うように設置する。つぎに、第一縦枠１６と第二縦枠１８との間に下枠２８を固定する。そして、下部第一パネル体２２、２つの第二パネル体２４、上部第一パネル体２０の順序で、第一縦枠１６と第二縦枠１８の間に嵌め込んでいく。最後に、支柱１２，１４上に上枠２６を設置する。このように、本考案によればルーバーフェンスが容易に設置できる。なお、第二パネル体２４の数量は、本実施形態に限定されない。
【００２４】
以上、実施形態に基づいて本考案のルーバーフェンスを説明したが、本考案のルーバーフェンスは上記実施形態に限定されない。例えば、本考案のルーバーフェンスは、横板フェンスや目隠しフェンス等をその上下左右に隣接させてもよい。また、ルーバーフェンスを構成するパネル体の一部を、横板フェンスを構成する横板パネルや目隠しフェンスを構成する目隠しパネル等と置き換えてもよい。
【符号の説明】
【００２５】
１０  ルーバーフェンス
１２，１４  支柱
１６  第一縦枠
１６ａ  第一溝
１６ｂ  第一突起
１８  第二縦枠
１８ａ  第二溝
１８ｂ  第二突起
２０  上部第一パネル体
２２  下部第一パネル体
２４  第二パネル体
２６  上枠
２８  下枠
３０  羽板
３２  横板
３４  第一端体
３６  第二端体
３８  第三端体
４０  第四端体
【図１】
0003179925.tif 000003
【図２】
0003179925.tif 000004
【図３】
0003179925.tif 000005
【図４】
0003179925.tif 000006
【図５】
0003179925.tif 000007
【図６】
0003179925.tif 000008